(57)【要約】【課題】１台のパチンコ遊技台で遊技顧客が貸し玉料金のレートを任意に設定して、低リスクで低レートもしくは高リスクで高レートの遊技が自在に選択できるようにする。【解決手段】貸し玉と持ち玉とが循環することで定量の玉数で独立して動作する密封循環型のパチンコ遊技台１において、払出設定金額毎に応じた個数の貸し玉を遊技顧客に提供する玉貸しレート選択部１３を備え、該玉貸しレート選択部１３における選択ボタン１３a…のいずれかの選択により設定した貸し玉料金に対応して出玉倍数および持ち玉のカウント倍数を変更可能とする。また、出玉を貸し玉もしくは出玉として再利用する玉数計数機７を備え、記録カードに玉数計数機７のカウンター値を更新毎に記憶可能にすることで、出玉の管理を記録カードの中だけで行えるようにする。【選択図】図１
2009022692.tif 000002
【特許請求の範囲】
【請求項１】
貸し玉と持ち玉とを循環させることで定量の玉数で独立して動作する密封循環型のパチンコ遊技台において、払出設定金額毎に応じた個数の貸し玉を遊技顧客に提供させる玉貸しレート選択部を備え、該玉貸しレート選択部の選択により決められた貸し玉料金に対応して出玉倍数および持ち玉のカウント倍数を変更可能としてなることを特徴とするパチンコ装置。
【請求項２】
玉貸しレート選択部は、貸し玉料金それぞれに対応した出玉倍数を出玉させる複数の選択ボタンからなる請求項１記載のパチンコ装置。
【請求項３】
玉貸しレート選択部におけるカウント倍数の選択後ではこれをロックし、ゲーム終了後の景品交換精算後ではこのロックを解除するロック・ロック解除機構を備えた請求項１または２記載のパチンコ装置。
【請求項４】
出玉を常にカウントしてから貸し玉もしくは出玉として再利用させる玉数計数機を備え、記録カードに玉数計数機のカウンター値を更新毎に記憶可能にすることで、出玉の管理を記録カードの中だけで行われるようにした請求項１乃至３のいずれか記載のパチンコ装置。
【請求項５】
玉貸しレート選択部は、「ｎ円玉貸し」を選択した場合には、貸し玉料金はｎ円計算、出玉倍数がｎ倍とされ、持ち玉のカウントはｎ倍計算される（但し、ｎ＝１，２，３，４，…）ものとした請求項１乃至４のいずれか記載のパチンコ装置。
【請求項６】
玉貸しレート選択部は、「ｎ円玉貸し」を選択した場合には、貸し玉料金はｎ円計算、出玉倍数がｎ／４倍とされ、持ち玉のカウントはｎ／４倍計算される（但し、ｎ＝１，２，３，４，…）ものとした請求項１乃至５のいずれか記載のパチンコ装置。
【発明の詳細な説明】
【技術分野】
【０００１】
本発明は、密封された遊技台内で貸し玉と持ち玉とを循環させることで定量の玉数で独立して動作することができ、特に１台で、貸し玉料金、これに対応した景品交換比率を任意に設定して低リスクで低リターンもしくは高リスクで高リターンの遊技形態を選択でき、その面白さを増大できるようにしたパチンコ装置に関する。
【背景技術】
【０００２】
パチンコホールを開設しようとするとき、各パチンコ台それぞれに遊技玉の補給設備と、回収設備を設ける必要があることから、建物の構造も特殊で重量に耐えるものがパチンコホールには要求される。また、貸し玉の他に遊休玉も多く、玉の管理やコストにも多額の費用が必要であった。しかも、遊技顧客にとっても多数の玉を運搬するのは重労働であり、玉箱をひっくり返して床一面に散乱させてしまうことも多かった。さらに、各パチンコホールに応じて、貸し玉の金額がそれぞれ異なる場合も生じてきており、遊技顧客が低額な貸し玉を他のパチンコホールに持ち込んで高額な貸し玉として不正使用してしまうという虞も生じてきている。
【０００３】
このため、近年においては、上記した各種の欠点を解消するために様々な構成によるパチンコ装置が提案されている。例えば、特許文献１および特許文献２に開示されているように、発射制御機構によって打球位置から遊技盤面に向けて発射された各パチンコ球を、当該発射制御機構の近傍に集中的に配置された誘導機構および球送り出し機構によって回収および貯留して前記打球位置へ還元させ、パチンコ機内を循環させることでパチンコ球の循環動作を円滑化するものとした技術が存在する。
【０００４】
また、特許文献３に開示されているように、上部ストッカーから借入玉ストッカーに至る通路に借入玉通過センサーを設け、借入玉ストッカーから返却玉ストッカーに至る通路に返却玉通過センサーを設け、借入玉通過センサーの出力を計数器の減算信号入力部に接続し、返却玉通過センサーの出力を計数器の加算信号入力部に接続し、返却玉ストッカーの玉を上部ストッカーに循環させるリフト機構を備えてなる循環式パチンコ台なる技術が存在する。
【０００５】
すなわち、特許文献３の技術によれば、出玉が多くなった時は返却することで返却玉通過センサーからの信号が計数器の加算信号入力部に入力されるので計数器の値が増加し、逆に出玉が少なくなった時には借入することで借入玉通過センサーからの信号が計数器の減算信号入力部に入力されるので計数器の値が減少する。このように玉の物理的な増減が計数器の数値の増減となって表示され、返却玉ストッカーに溜まる玉はリフト機構によって上部ストッカーに循環されるので、出玉が著しく増えても数百個の玉を循環させておけば玉不足とならない構成としている。
【特許文献１】特開２０００−１３５３１０号公報
【特許文献２】特開２０００−１０７３５７号公報
【特許文献３】特開平９−１９２２９４号公報
【発明の開示】
【発明が解決しようとする課題】
【０００６】
しかしながら、この種の従来のパチンコ装置において、密封式とすることは、遊技玉の確実な管理を図るとするパチンコホール設置者側の都合であり、遊技者にとっては遊興を必ずしも満足させるものではなかった。また、遊技者にとっては貸し玉料金、これに対応した景品交換レートが一定であるために、例えば遊技回数（打数）を多くしようとすると遊技料金を増額し、その費用を多く支出しなければならない。そのため、少ない遊技料金で遊技回数を増加させるには交換レートが低く設定されているパチンコ機が設置されているパチンコホールを選択することになる。
【０００７】
そうすると、こうしたニーズに対応するようにするにはパチンコホール設置側にとって、交換レートが異なるパチンコホールを複数で設置し、用意しなければならない。また、同一のパチンコホール内でこれに対応させるには、いわゆるパチンコ島毎に交換レートが異なるパチンコ機を設置すると共に、例えばその貸し玉にそれぞれで異なる着色を施す等で、これらを識別可能にしなければならない。いずれにしても、パチンコホール設置者側に多大な設備投資を強いることになる。
【０００８】
したがって、従来では同一のパチンコホールの中での同一のパチンコ遊技台で遊技顧客が貸し玉料金、それに対応した景品交換レートを自由に選択設定できるようにした方式は今までには存在していなかった。
【０００９】
そこで、本発明は叙上のような従来存した諸事情に鑑み創出されたもので、同一のパチンコホールの中での同一のパチンコ遊技台で遊技顧客が貸し玉料金及びその景品交換レートを自由に設定して、例えば低リスクで低レートの遊技もしくは高リスクで高レートの遊技を自在に選択できるようにすることで、パチンコ遊技の面白さを倍増させることができる一方、パチンコホール設置者側では多大な設備投資を必要とせずに、遊技顧客の要求に対処できるパチンコ装置を提供することを目的とする。
【課題を解決するための手段】
【００１０】
上述した課題を解決するため、本発明にあっては、貸し玉と持ち玉とを循環させることで定量の玉数で独立して動作する密封循環型のパチンコ遊技台１において、払出設定金額毎に応じた個数の貸し玉を遊技顧客に提供させる玉貸しレート選択部１３を備え、該玉貸しレート選択部１３の選択により決められた貸し玉料金に対応して出玉倍数および持ち玉のカウント倍数を変更可能としたものである。
玉貸しレート選択部１３は、貸し玉料金それぞれに対応した出玉倍数を出玉させる複数の選択ボタン１３ａ，１３ｂ，１３ｃ，１３ｄからなるものとすることができる。
玉貸しレート選択部１３におけるカウント倍数の選択後ではこれをロックし、ゲーム終了後の景品交換精算後ではこのロックを解除するロック・ロック解除機構１８を備えたものとすることができる。
また、出玉を常にカウントしてから貸し玉もしくは出玉として再利用させる玉数計数機７を備え、記録カードに玉数計数機７のカウンター値を更新毎に記憶可能にすることで、出玉の管理を記録カードの中だけで行われるようにしたものとできる。
さらに、玉貸しレート選択部１３は、「ｎ円玉貸し」を選択した場合には、貸し玉料金はｎ円計算、出玉倍数がｎ倍とされ、持ち玉のカウントはｎ倍計算される（ｎ＝１，２，３，４）ものとすることができる。
あるいは、玉貸しレート選択部１３は、「ｎ円玉貸し」を選択した場合には、貸し玉料金はｎ円計算、出玉倍数がｎ／４倍とされ、持ち玉のカウントはｎ／４倍計算される（ｎ＝１，２，３，４）ものとすることができる。
【００１１】
以上のように構成された本発明に係るパチンコ装置にあって、玉貸しレート選択部１３における選択ボタン１３ａ，１３ｂ，１３ｃ，１３ｄの選択は、予め決められた貸し玉料金に対応して出玉倍数および持ち玉のカウント倍数を変更させる。また、玉数計数機７は、出玉をカウントしてから貸し玉もしくは出玉として再利用させると共に、記録カードに当該玉数計数機７のカウンター値を更新毎に記憶させる。
ロック・ロック解除機構１８は、選択ボタン１３ａ…による貸し玉料金の設定後のゲーム終了、景品交換精算後までの他の選択ボタン１３ｂ…に対する選択変更を不能にし、ゲーム途中における貸し玉料金の不適確な選択を防止させる。
【発明の効果】
【００１２】
本発明によれば、同一のパチンコホールの中での同一のパチンコ遊技台で遊技顧客が貸し玉料金を自由に設定して、例えば低リスクで低レートの遊技もしくは高リスクで高レートの遊技を自在に選択でき、パチンコ遊技の面白さを倍増させることができる。一方、パチンコホール設置者側では、遊技金額が一定でも遊技回数の増減変更を要望する遊技顧客それぞれに対応するために交換レートが異なるパチンコ機毎のパチンコホールあるいはパチンコ島を各別に設置・用意する必要がなく、少ない設備投資でこれに対処できる利点がある。
【００１３】
すなわち、これは本発明が、玉貸しレート選択部１３の選択により決められた貸し玉料金に対応して出玉倍数および持ち玉のカウント倍数を変更可能としたからであり、これにより、同一のパチンコ遊技台で例えば低リスクで低レートの遊技もしくは高リスクで高レートの遊技を自由に選択することができる。
【００１４】
しかも、本発明に係る玉貸しレート選択部１３の構成を密封循環型のパチンコ遊技台１に応用しているため、従来のように遊技顧客が低額な貸し玉を他のパチンコホールに持ち込んで高額な貸し玉として不正使用されてしまうのを未然に防止することができる。
【００１５】
玉貸しレート選択部１３における選択ボタン１３ａ…に対する選択後ではこれをロックし、ゲーム終了後の景品交換精算後ではこのロックを解除するロック・ロック解除機構１８を備えているから、交換レート設定後のゲーム中ではこれを変更できず、ゲーム途中における貸し玉料金を例えば不正な意図の下に遊技顧客が自由に変更できないから、ゲームとしての安定性、安全性を確保できる。
【００１６】
また、出玉を常にカウントしてから貸し玉もしくは出玉として再利用させる玉数計数機７を備え、記録カードに玉数計数機７のカウンター値を更新毎に記憶可能にすることで、出玉の管理を記録カードの中だけで行われるようにしたので、各パチンコ遊技台１にパチンコ玉の補給設備と、回収設備を設ける必要がなくなり、しかもパチンコ玉の管理も不要で且つコストも低額で済むものとなる。
【００１７】
さらに、玉貸しレート選択部１３は、「ｎ円玉貸し」を選択した場合には、貸し玉料金はｎ円計算、出玉倍数がｎ倍とされ、持ち玉のカウントはｎ倍計算される（ｎ＝１，２，３，４）ものとしたので、貸し玉料金と同一の出玉倍数と持ち玉のカウント倍数が得られ、これによって出玉倍数の所定のパターンに基づいた低リスクで低レートの遊技もしくは高リスクで高レートの遊技が自在に行える。
【００１８】
あるいは、玉貸しレート選択部１３は、「ｎ円玉貸し」を選択した場合には、貸し玉料金はｎ円計算、出玉倍数がｎ／４倍とされ、持ち玉のカウントはｎ／４倍計算される（ｎ＝１，２，３，４）ものとしたので、貸し玉料金の１／４倍の出玉倍数と持ち玉のカウント倍数が得られ、これによって出玉倍数の逆のパターンに基づいた低リスクで低レートの遊技もしくは高リスクで高レートの遊技が自在に行える。
【００１９】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００２０】
以下、図面を参照して本発明を実施するための最良の一形態を説明する。図において示される符号１は、貸し玉と持ち玉とを循環させることで定量の玉数で独立して動作することができる密封循環型のパチンコ遊技台であり、このパチンコ遊技台１は、出玉の管理を例えばＩＣカード等の記録カードの中だけで行い、遊技顧客はパチンコ玉に一切触れることはできないものとしている。
【００２１】
尚、以下の構成によるパチンコ遊技台１は、密封循環型のスロット遊技台への対応も可能であることは勿論である。
【００２２】
このパチンコ遊技台１は、図１に示すように上部側に遊技盤面２を備え、該遊技盤面２の下方である下部側には、上玉皿３、下玉皿４、遊技ハンドル５それぞれを備え、下部玉皿４は下部側のゲート６を経て玉数計数機７に通じている。上玉皿３、下玉皿４、さらには下玉皿４から玉数計数機７に至る部分それぞれは、透明カバーＳによって覆われており、遊技顧客はパチンコ玉に直接触れることができないようになっている。
【００２３】
また、玉数計数機７自体は、パチンコ玉を貯めておく機能はなく、ここを通ったパチンコ玉は常にカウントされてから、不図示のリフト機構を介してパチンコ遊技台１内部の上部ストッカーに循環させ、貸し玉もしくは出玉として再利用させるものとしている。
【００２４】
パチンコ遊技台１の横側には所謂サンドと称する玉貸し機１１を備え、該玉貸し機１１は上部側から順に紙幣挿入口１２、複数の選択ボタン１３ａ，１３ｂ，１３ｃ，１３ｄからなる玉貸しレート選択部１３、ロック・ロック解除機構１８、持ち玉カウンター１４、持ち玉払出ボタン１５、記録カード返却ボタン１６、記録カード出入口１７それぞれを備えている。
【００２５】
持ち玉カウンター１４を作動させている不図示の制御部にはカードーリードライターを備えており、該カードーリードライターによりＩＣカード等の記録カードに玉数計数機７のカウンター値を更新毎に記憶するようしてある。そして、遊技終了時に押された記録カード返却ボタン１６からの信号入力により記録カード出入口１７からカウンター値を記憶した記録カードが排出されるようにしてある。
【００２６】
そして、この玉貸し機１１またはＣＲ機としてのパチンコ遊技台１には上玉皿３に通じる不図示のサンドノズルを備えており、玉貸しレート選択部１３におけるいずれか１つの選択ボタン１３ａ…を選択して押すことで、払出設定金額毎に応じた個数の貸し玉がサンドノズルから上玉皿３に提供されるものとしている。
【００２７】
また、前記した玉数計数機７は例えば不図示のプリセッタブルＢＣＤアップダウンカウンター、またはマイクロコンピュータとソフトウェアで構成され、その出力は例えばＬＥＤ、ＬＣＤ、またはＣＲＴ等の前記持ち玉カウンター１４によって玉数計数機７のカウンター値が遊技顧客に表示されるものとしてある。
【００２８】
次に、玉貸しレート選択部１３の具体的構成について説明する。すなわち、玉貸しレート選択部１３は、例えば「１円玉貸し」用の選択ボタン１３ａ、「２円玉貸し」用の選択ボタン１３ｂ、「３円玉貸し」用の選択ボタン１３ｃ、「４円玉貸し」用の選択ボタン１３ｄの４つのボタンからなり、このうちのいずれか１つの選択ボタン１３ａ…を選択して押すことでサンドノズルから所定数の貸し玉が上玉皿３に提供される。
【００２９】
そして、図２に示すように例えば、払出設定金額が１０００円の場合、「１円玉貸し」用の選択ボタン１３ａを押したときは１０００玉の貸し玉が提供される。また、払出設定金額が１０００円の場合、「２円玉貸し」用の選択ボタン１３ｂを押したときは５００玉の貸し玉が提供される。また、払出設定金額が１０００円の場合、「３円玉貸し」用の選択ボタン１３ｃを押したときは３３３玉の貸し玉が提供される。また、払出設定金額が１０００円の場合、「４円玉貸し」用の選択ボタン１３ｄを押したときは２５０玉の貸し玉が提供される。
【００３０】
出玉倍数のパターン例としては、図２（ａ）に示すように、「１円玉貸し」用の選択ボタン１３ａを選択した場合には、貸し玉料金は１円計算、出玉倍数が１倍とされ、持ち玉のカウントは１倍計算される。また、「２円玉貸し」用の選択ボタン１３ｂを選択した場合には、貸し玉料金は２円計算、出玉倍数が２倍とされ、持ち玉のカウントは２倍計算される。また、「３円玉貸し」用の選択ボタン１３ｃを選択した場合には、貸し玉料金は３円計算、出玉倍数が３倍とされ、持ち玉のカウントは３倍計算される。また、「４円玉貸し」用の選択ボタン１３ｄを選択した場合には、貸し玉料金は４円計算、出玉倍数が４倍とされ、持ち玉のカウントは４倍計算される。
【００３１】
尚、本パターン例において１０００玉の貸し玉をそのまま戻した場合は、景品単価は１玉当たり１円で、景品金額は例えば１０００円とする。
【００３２】
出玉倍数の逆のパターン例としては、図２（ｂ）に示すように、「１円玉貸し」用の選択ボタン１３ａを選択した場合には、貸し玉料金は１円計算、出玉倍数が０．２５倍とされ、持ち玉のカウントは０．２５倍計算される。また、「２円玉貸し」用の選択ボタン１３ｂを選択した場合には、貸し玉料金は２円計算、出玉倍数が０．５倍とされ、持ち玉のカウントは０．５倍計算される。また、「３円玉貸し」用の選択ボタン１３ｃを選択した場合には、貸し玉料金は３円計算、出玉倍数が０．７５倍とされ、持ち玉のカウントは０．７５倍計算される。また、「４円玉貸し」用の選択ボタン１３ｄを選択した場合には、貸し玉料金は４円計算、出玉倍数が１倍とされ、持ち玉のカウントは１倍計算される。
【００３３】
尚、本パターン例において２５０玉の貸し玉をそのまま戻した場合は、景品単価は１玉当たり４円で、景品金額は例えば１０００円とする。
【００３４】
上記した構成において、上玉皿３に貸し玉が残ったままで貸し玉の料金変更が行われる不都合を回避するには、基本的には貸し玉の料金変更の際にはホールスタッフの目視確認後の解除手続きを行う。このとき、遊技盤面２での補給玉と発射玉の差をカウントできる仕組みとすれば、案内表示、音声等で遊技顧客に対応してもらえるようにしても良い。また、特賞中、確率変動中、時短中は貸し玉の料金変更はできないように設定される。
【００３５】
あるいはホールスタッフによる目視確認とせず、ロック・ロック解除機構１８によるものとしてもよい。このロック・ロック解除機構１８は、玉貸しレート選択部１３において、いずれかの選択ボタン１３ａ…を設定選択したカウント倍数の選択後では、選択された選択ボタン１３ａ…更には他の選択ボタン１３ｂ…に対する設定操作を不能にし、ゲーム終了後の景品交換精算後ではこのロックを解除し、新たな交換レートによるいずれかの選択ボタン１３ａ…による設定変更を可能とするようにしてなるものである。
【００３６】
次に、以上のように構成された最良の形態についての使用、動作の一例について図３に基づき詳細に説明する。先ず、ステップ１にて玉貸し機１１の記録カード出入口１７に記録カードを投入する。同時に、ステップ２にて紙幣挿入口１２に紙幣として例えば１０００円、２０００円、５０００円、１００００円の４種類のうちいずれかの紙幣を投入して払出設定金額を決める。
【００３７】
ステップ３にて「１円玉貸し」〜「４円玉貸し」のいずれかを設定するように、玉貸しレート選択部１３における選択ボタン１３ａ，１３ｂ，１３ｃ，１３ｄを選んで押す。このとき、ステップ４にて払出設定金額毎に応じた個数の貸し玉がサンドノズルから上玉皿３に提供される。
【００３８】
例えば払出設定金額が５００円の場合、「１円玉貸し」用の選択ボタン１３ａを押したときは５００玉の貸し玉が提供され、「２円玉貸し」用の選択ボタン１３ｂを押したときは２５０玉の貸し玉が提供される。
【００３９】
また、払出設定金額が１０００円の場合、「１円玉貸し」用の選択ボタン１３ａを押したときは１０００玉の貸し玉が提供され、「２円玉貸し」用の選択ボタン１３ｂを押したときは５００玉の貸し玉が提供される。また、「３円玉貸し」用の選択ボタン１３ｃを押したときは３３３玉の貸し玉が提供され、「４円玉貸し」用の選択ボタン１３ｄを押したときは２５０玉の貸し玉が提供される。
【００４０】
ステップ５にて持ち玉のカウントが開始され、ステップ６にて遊技がスタートする。これに関連して、ロック・ロック解除機構１８では、玉貸しレート選択部１３の操作を不能にさせる。
【００４１】
ステップ７にて特賞による大当たり玉、および上玉皿３からの払出玉は持ち玉として貸し玉の選択金額に応じた倍数計算にてカウントされ、このカウンター値は持ち玉カウンター１４に加算表示される。同時にこのカウント玉数は、残度数と共に記録カードに記憶される。
【００４２】
例えば、出玉倍数の正パターンにおいて、図２（ａ）に示すように、貸し玉料金が１円の場合は出玉倍数が１倍とされ、持ち玉のカウントは１倍計算される。また、貸し玉料金が２円の場合は出玉倍数が２倍とされ、持ち玉のカウントは２倍計算される。同様に貸し玉料金が３円の場合は出玉倍数が３倍とされ、持ち玉のカウントは３倍計算される。更に貸し玉料金が４円の場合は出玉倍数が４倍とされ、持ち玉のカウントは４倍計算される。
【００４３】
また、出玉倍数の逆パターンにおいて、図２（ｂ）に示すように、貸し玉料金が１円の場合は出玉倍数が０．２５倍とされ、持ち玉のカウントは０．２５倍計算される。貸し玉料金が２円の場合は出玉倍数が０．５倍とされ、持ち玉のカウントは０．５倍計算される。貸し玉料金が３円の場合は出玉倍数が０．７５倍とされ、持ち玉のカウントは０．７５倍計算される。貸し玉料金が４円の場合は出玉倍数が１倍とされ、持ち玉のカウントは１倍計算される。
【００４４】
ステップ８にて遊技を中止する場合には、ステップ９にて記録カード返却ボタン１６を押す。これによってゲームは終了したとされると、ロック・ロック解除機構１８では玉貸しレート選択部１３における選択ボタン１３ａ…の選択操作を可能とするようにロックを解除する。そして、ステップ１０にて記録カード出入口１７から記録カードが排出され、ステップ１１にてこれを景品カウンターへ持参して景品と交換する。
【００４５】
一方、遊技を続行する場合には、ステップ１２にて持ち玉払出ボタン１５を押すと再度持ち玉のカウントが開始され、ステップ５に戻って遊技が再スタートする。
【００４６】
尚、記録カード内の記録は、「１円玉貸し」、「２円玉貸し」等のそれぞれのレートで記録しておくこととしても、それらを一定レートの下に交換精算したものとしても良く、またゲーム開始時にこれを使用する場合は、選択した交換レートに対応した貸し玉が出玉されるものとしてある。
【図面の簡単な説明】
【００４７】
【図１】本発明を実施するための最良の形態におけるパチンコ装置の概略的な構成を示す正面図である。
【図２】同じくパチンコ装置の使用の一例を示し、（ａ）は出玉倍数のパターン例を表で示した図、（ｂ）は出玉倍数の逆パターン例を表で示した図である。
【図３】同じくパチンコ装置の使用時の動作フローを示す説明図である。
【符号の説明】
【００４８】
Ｓ…透明カバー
１…パチンコ遊技台                      ２…遊技盤面
３…上玉皿                              ４…下玉皿
５…遊技ハンドル                        ６…ゲート
７…玉数計数機
１１…玉貸し機                          １２…紙幣挿入口
１３…玉貸しレート選択部
１３ａ，１３ｂ，１３ｃ，１３ｄ…選択ボタン
１４…持ち玉カウンター                  １５…持ち玉払出ボタン
１６…記録カード返却ボタン              １７…記録カード出入口
１８…ロック・ロック解除機構
【図１】
2009022692.tif 000003
【図２】
2009022692.tif 000004
【図３】
2009022692.tif 000005